(57)【要約】      （修正有）【課題】一次エアクリナーの空気の通路から１段下方に下げて室を設け色々な異物をアミを設けて止め清掃作業時でも二度と次の機関や施設には入らぬ様にした二次エアクリナー下向異物取除開閉室を提供する。【解決手段】最所の一次エアクリナーより一段下方に下げて設置して異物を下向の異物取除開閉室を設けてその開閉板を開いて下方から異物を取出す仕組である。【選択図】図１
0003103523.tif 000002
【実用新案登録請求の範囲】
【請求項１】
（記載なし）
【考案の詳細な説明】
この実用新案はエアクリナーの清掃作業５００時間毎に１回程度行う際にまれにエアクリナーの製造過程で付着した異物やエアクリナーの清掃の際に取付てあった座金などの異物がは入って機械事故の原因と成ってその非害は致命的な事もあった。本考案はその欠点を除くために開発したものである。
（イ）エアクリナーから流れ出て気道を通る空気をもう１度二次的に二次エアクリナー下向異物取除開閉室を設置して事故を防ぐものである。アミは斜下向に取り付ける。
（ロ）空気の通路を１段下方に下げて室を設け色々な異物をアミを設けて止め清掃作業時でも二度と機関には入らぬ様に開発したものである。又その他の施設でも利用できる様に取付部分を丸や、だ円形、四角や、長方形、などその時のニイズに変化させる様に取付部分に矛軟性を持たせた。
【図面の簡単な説明】
【図１】本考案の斜視図である。
【符号の説明】
（１）エアクリナー  （２）は二次エアクリナー下向異物取除開閉室  （３）はアミの設置  （４）は空気入口  （５）は一次空気流  （６）は部分開図  （７）は下向異物取除開閉板  （８）は二次空気流  （９）は分気流
【図１】
0003103523.tif 000003
【手続補正書】
【提出日】平成15年4月24日(2003.4.24)
【手続補正１】
【補正対象書類名】明細書
【補正対象項目名】実用新案登録請求の範囲
【補正方法】変更
【補正の内容】
【実用新案登録請求の範囲】
【請求項１】
（イ）エアクリナー１を設けて二次エアクリナー２を一次エアクリナーの中心の気道の位置より下方に下げて二次エアクリナー下向異物取除開閉室の上部上面２と連結する。
（ロ）二次エアクリナーは下向異物取除開閉板７及び斜アミ３を設ける。そのアミ目太さは０．１ミリから４０ミリと用途で変え又その位置も前後に変えられる。アミの数は１重から４０重と設置できて、又取りはずしもできる。
（ハ）一次気流５及び二次気流８の取付部に円形四角長方形太さは２０ミリから５００ミリでその厚みは１ミリから３０ミリである。
（ニ）下向異物取除開閉室の長さは１００ミリから１０００ミリまでできる
（ホ）アミの材質は楾糸、麻糸、芭蕉糸、アミの線は鉄、アルミ、ステンレス、銅ニッケルなどである。
（ヘ）糸や線の太さは０．１ミリから１０ミリと用途で変られる。
（ト）アミの角度は図面の角度から３６０度変えられる。
（チ）一次エアクリナー及び二次エアクリナーは直径が２０ミリから１０００ミリまでできる。
【手続補正書】
【提出日】平成15年7月18日(2003.7.18)
【手続補正１】
【補正対象書類名】明細書
【補正対象項目名】実用新案登録請求の範囲
【補正方法】変更
【補正の内容】
【実用新案登録請求の範囲】
【請求項１】
（イ）エアクリナー１を設けて二次エアクリナー２を一次エアクリナーの中心の気道の位置より下方に下げて二次エアクリナー下向異物取除開閉室の上部上面２と連結する。
（ロ）二次エアクリナーは下向異物取除開閉板７及び斜アミ３を設ける。そのアミ目太さは０．１ミリから４０ミリと用途で変え又その位置も前後に変えられる。アミの数は１重から４０重と設置できて、又取りはずしもできる。
（ハ）一次気流５及び二次気流８の取付部に円形四角長方形太さは２０ミリから５００ミリでその厚みは１ミリから３０ミリである。
（ニ）下向異物取除開閉室の長さは１００ミリから１０００ミリまでできる
（ホ）アミの材質は楾糸、麻糸、芭蕉糸、アミの線は鉄、アルミ、ステンレス、銅ニツケルなどである。
（ヘ）糸や線の太さは０．１ミリから１０ミリと用途で変られる。
（ト）アミの角度は図面の角度から３６０度変えられる。
（チ）一次エアクリナー及び二次エアクリナーは直径が２０ミリから１０００ミリまでできる。
（リ）一次エアクリナー及び二次エアクリナーは一次では粉ジンを取る装置二次では粉ジンより重い異物を取る装置からなる下向異物取除開閉室
（ヌ）「７下向異物取除開閉板」は重い異物を取る装置「斜アミ３」は図の「３アミの設置」より１次気流の方向に向って斜アミを１重から４０重と用途でいく重にも設置できる装置
（ル）「７下向異物取除開閉板はアミ取変口及び異物取出し口装置
【手続補正書】
【提出日】平成16年2月9日(2004.2.9)
【手続補正１】
【補正対象書類名】明細書
【補正対象項目名】全文
【補正方法】変更
【補正の内容】
【実用新案登録請求の範囲】
【請求項１】「一次エアクリーナー（１）、の下流側に一次空気流（５）、二次エアクリーナー下向異物取除開閉室（２）、二次空気流（８）、を順に連結したエアクリーナー装置において、前記二次エアクリーナー下向異物取除開閉室（２）、の下部に下向異物取除開閉扉を設け斜アミを設け一次空気流（５）と二次エアクリーナー上面との高さを同じにして１００％上面の下測に容積があように連結したことを特徴とするエアクリーナー装置」
【考案の詳な説明】
【０００１】
【考案の属する技術分野】
この考案はエアクリーナーの清掃作業５００時間毎に１回程度行う際にまれにエアクリーナーの製造過程で付着した異物やエアクリーナーの清掃の際に取付けてあった座金など異物がは入って機械事故の原因となってその非害は致命的な事もあった。本考案はその欠点を取り除くために開発したものです。
【０００２】
【従来の技術】
従来のエアクリーナーは破損異物や、又エアクリーナーの清掃作業中には入った異物は機関部には入り、まれに重大な事故があった。これが現在の技術の状態であり、それは一次エアクリーナーだけの装置で二次エアクリーナー下向異物取除開閉室のごとくからなる物はないのが現状である。
【０００３】
【考案が解決しようとする課題】
これは次のような欠点があった
（イ）エアクリーナーから機関までの間にどのメーカーも機関を一次的で空気処理を行い、二次的に処理を行っている機関はない。（ロ）私やその他にも機関に異物が流れ込んでオーバーホールを行い、数拾万円支はらった、これが高空事故となったら大さん事でもある。本考案は、これらの決点を除くためになされた。
【０００４】
【課題を解決するための手段】
エアクリーナー（１）、を設けて二次エアクリーナー（２）、を一次エアクリーナーの下流側に気道の位置を下方に下げて二次エアクリーナー下向異物取除開閉室上部上面（２）、と連結する。
（ロ）二次エアクリーナーは下向異物取除開閉扉（７）、を設ける。斜アミ（３）、は馬力の大さで１まいから数まい設ける。以上からなる二次エアクリーナー異物取除開閉室。部分開図（６）、は図面の二次エアクリーナーの中部を開いて斜アミ（３）、の設置の状熊が見えるようにした。製品はこの部分は開かない。
【０００５】
【考案の実施の形熊】
以下本考案の実施の形熊について説明します。
（イ）一次エアクリーナー（１）、を設けその下流の一次空気流（５）、の上面と二次エアクリーナー下向異物取除開閉室の上面と高さを合わせて連結して二次エアクリーナー下向異物取除開閉室の全体の容積を上部上面以下に１００％あるように設け、異物は一次気
0003103523.tif 000004
るように設けた。
【０００６】
【考案の効果】
本考案は以上のような構造でこれを設ける事により今までに発生した機関部への異物による重大事故やその他の小事故などもなくなる。
【図面の簡単な説明】
本考案の斜視図である。
【符号の説明】
（１）、一次エアクリーナー（２）、二次エアクリーナー下向異物取除開閉室（３）斜アミの説置（４）、空気入口（５）、一次空気流（６）、部分開図（７）、下向異物取除開閉扉（８）、二次空気流（９）、分気流（１０）、上面


【手続補正２】
【補正対象書類名】図面
【補正対象項目名】全図
【補正方法】変更
【補正の内容】
【図１】
0003103523.tif 000005